(57)【要約】【課題】通常の積雪量において開閉装置が雪に埋もれたり、あるいは凍結することによって必要な時に迅速に開放できなくなるという恐れがなく、巻き取り部分に水、雪氷、ゴミなどが付着して巻き込まれることがないビニールハウス換気装置であって、仕組みができるだけ単純なビニールハウス換気装置を提供する。【解決手段】側窓を開閉する開閉シート２と、開閉シート２を巻き取る巻き取り棒３とを備え、ビニールハウス１の側窓が開閉シート２で閉じられた状態において、開閉シート２は地表面の折り返し箇所で折り返されてビニールハウスの内側上方に向う余剰部分を有し、上記折り返し箇所に開閉シート２を下方に引き寄せる錘を有し、開閉シート２の余剰部分を巻き取った巻き取り棒３を地表面から一定の高さに支持する巻き取り棒支持手段５を備えている。【選択図】図１
2018068148.tif 000002
【特許請求の範囲】
【請求項１】
ビニールハウスの側窓を開閉する開閉シートと、該開閉シートを巻き取る巻き取り棒とを備え、当該ビニールハウスの側窓が上記開閉シートで閉じられた状態において、開閉シートは地表面の折り返し箇所で折り返されてビニールハウスの内側上方に向う余剰部分を有し、上記折り返し箇所に開閉シートを下方に引き寄せる錘を有し、上記開閉シートの余剰部分を巻き取った巻き取り棒を地表面から一定の高さに支持する巻き取り棒支持手段を備えていることを特徴とするビニールハウスの換気装置。
【請求項２】
巻き取り棒支持手段が、ビニールハウスの側面の延長線上に設置された、巻き取り棒支持部を有する巻き取り棒支持柱であって、少なくとも２本の巻き取り棒支持柱の巻き取り棒支持部で開閉シートの余剰部分を巻き取った巻き取り棒を支持することを特徴とする請求項１に記載のビニールハウスの換気装置。
【請求項３】
巻き取り棒支持手段がビニールハウスの構造物に固定された巻き取り棒支持具であって、当該巻き取り棒支持具がローラーを有することを特徴とする請求項１に記載のビニールハウスの換気装置。
【請求項４】
巻き取り棒支持手段が巻き取り棒と錘を支持するための直方体状の固定具であって、巻き取り棒を支持する巻き取り棒支持ベルトを有し、少なくとも２本の固定具で上記巻き取り棒と錘を支持し、上記巻き取り棒支持ベルトの一端側は巻き取り棒に固定され、巻き取り棒支持ベルトの他端側はビニールハウスの構造物に固定されていることを特徴とする請求項１に記載のビニールハウスの換気装置。
【請求項５】
開閉シートは防虫ネットと透明フィルムが連結されたものからなり、上記防虫ネットの端部がビニールハウスの側窓の上端に固定されており、上記透明フィルムの端部が巻き取り棒に固定されていることを特徴とする請求項１ないし３のいずれかに記載のビニールハウスの換気装置。
【発明の詳細な説明】
【技術分野】
【０００１】
本発明は農業用ビニールハウスの側面に設けた窓（以下、側窓という）の開閉により換気をするためのビニールハウス換気装置に関するものである。
【背景技術】
【０００２】
農業用ビニールハウス(以下、ハウスともいう)は、野菜や花きなどの作物をその内部で栽培するためのものであり、保温と、作物を降雨から保護することを主な目的とする。しかし、常にビニールで密閉した状態にあると、冬季でも晴天時には作物に悪影響が出るほど高温になる場合がしばしば生ずる。そのため、ハウスの側面に開閉可能な窓を設け、高温時は開放することにより外気と換気してハウス内の温度を外気温と同程度まで下げることが行われている。
【０００３】
ハウス側面の開閉方式として最も広く行われている方法は以下の通りである。非特許文献１には従来のハウス側面の開閉方式の代表例が開示されているので、図面を用いて以下に説明する。図１３は従来のビニールハウス換気装置を備えたビニールハウスの側窓を半開にしたときの斜視図であり、図１４は従来のビニールハウス換気装置を備えたビニールハウスの側窓を全閉にしたときの斜視図である。ビニールハウスの側窓とはビニールハウス側面の開放部分をいい、図１３では、ハウス側面の上部に位置する開閉シート固定用蟻溝フレーム７と左側の側面端部被覆フィルム１５ａと右側の側面端部被覆フィルム１５ｂとハウス側面の下部に位置する裾部フィルム固定用蟻溝フレーム１４とで囲まれた部分が側窓である。この側窓を開閉シート２で覆い、開閉シート２を巻き取り棒３に巻き取ったり、巻き取り棒３から開閉シート２を巻き戻すことによって側窓を開閉することができる。図１３および図１４に示すように、開閉シート２の上辺はハウス肩部に水平に設置した蟻溝フレーム７に弾性の系止線条（図示せず）によって固定されており、開閉シート２の下辺は円筒または円柱状の巻き取り棒３に固定されている。巻き取り棒３には、巻き取りハンドル８（あるいは回転駆動装置）が連結され回転自在となっている。巻き取り棒３を巻き取りハンドル８を用いて回転することにより開閉シート２は巻き取り棒３に巻き取られ、巻き取り棒３を逆回転すれば、開閉シート２は巻き戻される。図１３に示すように、ハウスの側窓を半開にした状態では、巻き取り棒３より下の部分が開放されている。ハウス側窓の下部には、地上３０ｃｍ程度の高さまで裾部フィルム１３が設置されている。図１４に示すように、ハウスの側窓を全閉にした状態では、開閉シート２は巻き戻されており、巻き取り棒３は地表付近に位置する。側窓を開放するときは、巻き取り棒３を回転して開閉シート２を巻き取り棒３に巻き取っていく。側窓の全開時は、開閉シート２はほぼ全て巻き取り棒３に巻き取られ、巻き取り棒３は蟻溝フレーム７の約３０ｃｍ下方に位置する。
【０００４】
しかし、この方式の場合、図１４に示すように、側窓の全閉時に巻き取り棒３が地表付近に位置するため、東北地方など冬季に積雪が多く寒冷な地域では、巻き取り棒３や巻き取りハンドルが雪に埋もれ、あるいは雪解け水で凍結し、開放することが必要になった時に迅速に開放できないという事態がしばしば生ずる。
【０００５】
さらに、図１４に示すように、側窓の全閉時に巻き取り棒３が地表付近に位置するため、巻き取り棒３と開閉シート２の結合部位などに雨水や雪、枯れ葉等のゴミが付着し、巻き取り時にこれらを巻き込んでしまうため、開閉が困難になる上、開閉シート２が汚れ損傷するという問題がある。
【０００６】
別の方法として、開閉シートの下辺をハウスの側窓の下辺に固定し、開閉シートの上辺を上下可動のフレームに固定し、このフレームを上昇させることによって側窓を閉鎖し、上記フレームを下降させることによって側窓を開放する装置が提案されている（特許文献１）。この方式では全閉時に上記可動フレームはハウス肩部に位置しているので、積雪時に可動フレームが雪に埋もれ凍結する事態はほとんど生じないと考えられる。しかしこの装置では側窓の開放時に開閉シートは自重により弛んで折りたたまれた状態になり、折りたたまれたシートの間に雨水が溜まり、そこに藻が発生することや、枯れ葉などのゴミが付着し、開閉シートが汚れることが考えられる。また、この上下可動フレーム方式では可動フレームを昇降させ、任意の開度で固定する仕組みが必要であり、部品数が多く複雑である。
【０００７】
さらに又別の方法として、開閉シートの下辺をハウスの側窓の下辺に固定し、開閉シートの上辺を巻き取り棒に固定し、側窓の全閉時に巻き取り棒はハウスの側窓の上辺に位置し、開閉シートを巻き取り棒に巻き取ることによりハウス側窓の上辺から開放する装置が提案されている（特許文献２）。この装置においては、巻き取り棒が自重と巻き取った開閉シートの重さにより自然落下することを防ぐため、巻き取り棒を上に引っ張り支持するため、延出体、ローラー支持ポスト、ローラーおよび錘で構成される仕組みを備えている。この装置でも、側窓の全閉時に巻き取り棒はハウス側面の上辺に位置するため、積雪時にも巻き取り棒が雪に埋もれる恐れは少ない。しかし、巻き取り棒を上に引っ張る仕組みが複雑であり、普及を妨げている。
【先行技術文献】
【特許文献】
【０００８】
【特許文献１】特開２００２−２７８４３号公報
【特許文献２】特開２００５−３１８８２４号公報
【非特許文献】
【０００９】
【非特許文献１】「グリーンハウスの基本が正しく分かるハウス丸わかり読本Ｖｏｌ１」、渡辺パイプ株式会社、２０１１年、６８頁−６９頁
【発明の概要】
【発明が解決しようとする課題】
【００１０】
本発明が解決しようとする課題は、通常の積雪量において開閉装置が雪に埋もれたり、あるいは凍結することによって必要な時に迅速に開放できなくなるという恐れがなく、巻き取り部分に水、雪氷、ゴミなどが付着して巻き込まれることがないビニールハウス換気装置であって、仕組みができるだけ単純なビニールハウス換気装置を提供することである。
【課題を解決するための手段】
【００１１】
第一の発明に係るビニールハウスの換気装置は、ビニールハウスの側窓を開閉する開閉シートと、該開閉シートを巻き取る巻き取り棒とを備え、当該ビニールハウスの側窓が上記開閉シートで閉じられた状態において、開閉シートは地表面の折り返し箇所で折り返されてビニールハウスの内側上方に向う余剰部分を有し、上記折り返し箇所に開閉シートを下方に引き寄せる錘を有し、上記開閉シートの余剰部分を巻き取った巻き取り棒を地表面から一定の高さに支持する巻き取り棒支持手段を備えていることを特徴とするものである。
【００１２】
第二の発明に係るビニールハウスの換気装置は、第一の発明において、巻き取り棒支持手段が、ビニールハウスの側面の延長線上に設置された、巻き取り棒支持部を有する巻き取り棒支持柱であって、少なくとも２本の巻き取り棒支持柱の巻き取り棒支持部で開閉シートの余剰部分を巻き取った巻き取り棒を支持することを特徴とするものである。
【００１３】
第三の発明に係るビニールハウスの換気装置は、第一の発明において、巻き取り棒支持手段がビニールハウスの構造物に固定された巻き取り棒支持具であって、当該巻き取り棒支持具がローラーを有することを特徴とするものである。
【００１４】
第四の発明に係るビニールハウスの換気装置は、第一の発明において、巻き取り棒支持手段が巻き取り棒と錘を支持するための直方体状の固定具であって、巻き取り棒を支持する巻き取り棒支持ベルトを有し、少なくとも２本の固定具で上記巻き取り棒と錘を支持し、上記巻き取り棒支持ベルトの一端側は巻き取り棒に固定され、巻き取り棒支持ベルトの他端側はビニールハウスの構造物に固定されていることを特徴とするものである。
【００１５】
第五の発明に係るビニールハウスの換気装置は、第一ないし第三の発明において、開閉シートは防虫ネットと透明フィルムが連結されたものからなり、上記防虫ネットの端部がビニールハウスの側窓の上端部に固定されており、上記透明フィルムの端部が巻き取り棒に固定されていることを特徴とするものである。
【発明の効果】
【００１６】
本発明に係るビニールハウスの換気装置においては、側窓の全閉時に巻き取り棒を地表面から一定の高さに支持する巻き取り棒支持手段を備えているので、多少の積雪量では巻き取り部が雪に埋もれることがない。また、地表面の折り返し箇所で折り返された開閉シートの余剰部分はビニールハウスの内側に位置するので、ビニールハウス内気温が上昇して換気が必要になる際に、この開閉シートの余剰部分が凍結していることはなく、水や雪氷、ゴミの付着や巻き込みが無い。
【００１７】
側辺の長さが長いビニールハウスでは、巻き取り棒を両端の２箇所のみで支えた場合、巻き取り棒の中央部が自重により下へ撓みやすい。巻き取り棒が撓むと開閉シートの巻き取りや巻き戻しが困難になる。本発明に係るビニールハウスの換気装置は、巻き取り棒の中間部の１箇所ないし必要に応じて数カ所に、巻き取り棒支持具または巻き取り棒支持ベルトを備えているので、巻き取り棒が撓むことを防いでいる。
【００１８】
第一ないし第三の発明において、巻き取り棒支持手段による巻き取り棒を支持する高さをビニールハウスの側窓の上端とほぼ同じ高さにすることによって、全閉時に側窓を二重に覆うことができ、厳寒時の保温性を高くすることができる。
【００１９】
第五の発明においては、低温期にはビニールハウスの側窓を透明フィルムで閉鎖してビニールハウスを保温し、害虫の多い高温期にはビニールハウスの側窓を防虫ネットで被覆してビニールハウス内の温度を外気温と同程度に保ちつつ、害虫のビニールハウス内への侵入を防ぐことができる。
【００２０】
本発明に係るビニールハウスの換気装置は仕組みが比較的単純であり、製造コストが比較的安価であると考えられる。
【図面の簡単な説明】
【００２１】
【図１】図１は本発明のビニールハウス換気装置の一実施例において、ビニールハウスの側窓を全閉したときの斜視図である。
【図２】図２は本発明のビニールハウス換気装置の一実施例において、ビニールハウスの側窓を半開したときの斜視図である。
【図３】図３は本発明のビニールハウス換気装置の一実施例において、ビニールハウスの側窓を半閉したときの、巻き取り棒、巻き取り棒支持具、錘および開閉シートの関係を示す部分端面図である。
【図４】図４は本発明のビニールハウス換気装置の一実施例における巻き取り棒支持具の正面図である。
【図５】図５は本発明のビニールハウス換気装置の一実施例における巻き取り棒支持具の平面図である。
【図６】図６は本発明のビニールハウス換気装置の別の実施例において、ビニールハウスの側窓を全閉したときの斜視図である。
【図７】図７は本発明のビニールハウス換気装置の別の実施例において、ビニールハウスの側窓を半開したときの斜視図である。
【図８】図８は本発明のビニールハウス換気装置の別の実施例において、ビニールハウスの側窓を半開したときの、巻き取り棒、錘、巻き取り棒支持ベルトおよび開閉シートの関係を示す部分端面図である。
【図９】図９は本発明のビニールハウス換気装置のさらに別の実施例において、ビニールハウスの側窓を全閉したときの斜視図である。
【図１０】図１０は本発明のビニールハウス換気装置のさらに別の実施例において、ビニールハウスの側窓を全閉したときの斜視図である。
【図１１】図１１は本発明のビニールハウス換気装置のさらに別の実施例において、開閉シートを構成する防虫ネットのみでビニールハウスの側窓を覆ったときの斜視図である。
【図１２】図１２は本発明のビニールハウス換気装置において、巻き取り棒に連結された巻き取りハンドルと巻き取りハンドルガイド柱の一実施例を示す斜視図である。
【図１３】図１３は従来のビニールハウスの換気装置を備えたビニールハウスの側窓を半開したときの斜視図である。
【図１４】図１４は従来のビニールハウスの換気装置を備えたビニールハウスの側窓を全閉したときの斜視図である。
【発明を実施するための形態】
【００２２】
つぎに、本発明の実施形態を図面に基づいて説明するが、本発明の技術的範囲を逸脱しない範囲において様々な変更や修正が可能であることは言うまでもない。
【実施例１】
【００２３】
図１および図２は本発明に係るビニールハウス１の換気装置の実施例１の斜視図である。図１はビニールハウスの側窓を全閉にした状態を示し、図２はビニールハウスの側窓を半開にした状態を示す。本発明における側窓は、図２において、ビニールハウス１の側面の上部に位置する開閉シート固定用蟻溝フレーム７とビニールハウス１の側面の下部に位置する裾部フィルム固定用蟻溝フレーム１４で挟まれた部分である。図１に示すように、開閉シート２の一端部はビニールハウス１の骨組みに固定された蟻溝フレーム７に弾性系止線条（図示せず）などにより固定され、開閉シート２の他端部は巻き取り棒３にビニールハウス用パッカー（図示せず）などにより固定されている。開閉シート２の材質は、農業用ビニールハウスの被覆に一般的に用いられる塩化ビニール系樹脂シートやポリオレフィン系樹脂シートが適しているが、ビニールハウスの屋根や妻面など開口部以外の被覆に使用しているシートと同じ材質のものでもよい。ビニールハウス１の側面の下部には裾部フィルム１３が張設されており、裾部フィルム１３の上端は裾部フィルム固定用蟻溝フレーム１４に固定されており、裾部フィルム１３の下端は地面に埋め込まれている。図１には、ビニールハウス１の一方の側窓の開閉シート２しか示されていないが、ビニールハウス１の反対側の他方の側窓にも図１に示すものと同じ構成の開閉シートが配置されている。また、ビニールハウス１の反対側の他方の側窓に配置されている開閉シートも、以下の段落［００２４］〜［００４６］で説明するものと同じ構成の開閉機構を備えている。
【００２４】
巻き取り棒３は、直径２０ｍｍ程度、長さはビニールハウス１の側窓の長さより５０ｃｍ程度長い円柱又は円筒で、材質は鉄、アルミニウムなどの金属や塩化ビニールなどの合成樹脂などが好適である。巻き取り棒３の一端は巻き取りハンドル８に連結されている。ビニールハウス１の側面の延長線上であって、ビニールハウス１から５０ｃｍ程度離れた位置に巻き取りハンドルガイド柱９が垂直に立てられている。図１２に示すように、巻き取りハンドル８は上下に貫通する穴を有し、この穴を通して巻き取りハンドル８は巻き取りハンドルガイド柱９に嵌合している。巻き取り棒３の一端は巻き取りハンドル８に連結されており、巻き取りハンドル８で巻き取り棒３を回転させつつ、巻き取りハンドル８は巻き取りハンドルガイド柱９にガイドされて上下方向に自在に移動することができる。
【００２５】
巻き取りハンドル８および巻き取りハンドルガイド柱９は巻き取り棒３を容易に回転させるための装置であるが、巻き取り棒３を容易に回転させるための装置はこれに限定されるものではなく、回転駆動装置を連結するタイプなど種々の公知技術が適用できる。
【００２６】
図１および図２に示すように、巻き取り棒支持柱５は、ビニールハウス１の側面の左右の延長線上に１本ずつ、合計で４本設置されている。なお、図１および図２には、巻き取り棒支持柱５は３本しか示されていないが、もう１本の巻き取り棒支持柱５は隠れている。また、各巻き取り棒支持柱５の一端部に巻き取り棒３を載せるための巻き取り棒支持部５−１を備えている。巻き取り棒支持柱５の一端部の巻き取り棒支持部５−１の高さは５０ｃｍ程度が適切な場合が多いが、積雪量の多い地域に設置する場合など、必要に応じ、より高くする。ビニールハウス１の側窓を全閉にした状態から上記巻き取り棒支持柱５の高さまでビニールハウス１の側窓を開放した状態に至るまでは、巻き取り棒３は巻き取り棒支持柱５の巻き取り棒支持部５−１に載せられている。
【００２７】
図１、図２および図３に示すように、ビニールハウス１の骨組み１０には巻き取り棒支持柱５の巻き取り棒支持部５−１と同じ高さに巻き取り棒支持具６が固定されている。図４および図５に示すように、巻き取り棒支持具６は、２個の自由に回転するローラー（６-１）と、ハウスの骨組みを挟む挟持部（６−２）と、挟持部を締め付ける固定用ネジ（６−３）を有している。開閉シート２を巻き取った巻き取り棒３は、図４と図５に示す支持具６の２個のローラー部６−１の上に載せられる。ローラー６−１が自由回転するため巻き取り棒３も円滑に回転する。
【００２８】
側辺の長さが長いビニールハウスでは、巻き取り棒を両端の２箇所のみで支えた場合、巻き取り棒の中央部が自重により下へ撓みやすい。実施例１に係るビニールハウス換気装置では、巻き取り棒支持具６が巻き取り棒３の中間部分を支えているので、巻き取り棒３が撓むことはない。側辺の長さがより長いビニールハウスでは、必要に応じて巻き取り棒支持具６の設置数を増すことにより巻き取り棒３の撓みを防ぐことができる。
【００２９】
開閉シート２の上端から下端までの長さは、蟻溝フレーム７の高さと、巻き取り棒支持柱５を設置したときの巻き取り棒支持部５−１の高さとの合計の長さと同じ、あるいはその合計よりやや長くするのが望ましい。ビニールハウス１の側窓を全閉にしたときは、開閉シート２は地表面の折り返し箇所でビニールハウス１の内側に折り返され、内側上方に向う開閉シート２の余剰部分は巻き取り棒支持柱５の上に載せられた巻き取り棒３に至る。そして、図１に示すように、開閉シート２の折り返し部分の上に円柱状の錘４が載せられている。開閉シート２は錘４の重さにより下方に引っ張られ、ピンと張った状態が維持される。図２および図３に示すように、巻き取りハンドル８を回すことにより巻き取り棒３を回転して開閉シート２を巻き取ると、錘４は巻き取り棒支持柱５上の巻き取り棒３の直下まで上昇してくる。
【００３０】
錘４は直径１０〜２０ｍｍ程度、長さは開閉シートの幅と同じあるいはそれよりやや長い円柱状であるが、円筒状でもよく、錘４の材質は鉄、アルミニウムなどの金属や塩化ビニールなどの合成樹脂などが好適である。
【００３１】
図３は巻き取り棒支持具６を取り付けた位置でのビニールハウスの部分端面図である。錘４を経て巻き取り棒３に巻き取られた開閉シートの巻き取り部分は、錘４に至るまでの展張状態にある開閉シート２より内側に位置しており、ビニールハウス１の内部に位置しているので、この開閉シートの巻き取り部分が、換気が必要になる日中に凍結していることはなく、この部分に雪氷やゴミが付着することもない。
【００３２】
図２において、夏季など高温期は、ビニールハウス１の側窓を巻き取り棒支持柱５の高さ以上に開放する必要がある。この場合は錘４を除去することにより、蟻溝フレーム７の約３０ｃｍ下方まで側窓を開放することができる。冬季など低温期は、日中の晴天時でも外気温は夏季ほど高くないので、巻き取り棒支持柱５の巻き取り棒支持部５−１の直下の高さまで側窓を開放できれば、開度としては十分であると考えられる。
【実施例２】
【００３３】
本発明のビニールハウスの換気装置の別の実施例である。実施例２のビニールハウスの換気装置が実施例１のビニールハウスの換気装置と異なる点は、巻き取り棒支持手段が複数の巻き取り棒支持具からなることである。巻き取り棒支持具６が複数の骨組み１０に巻き取り棒３を支持するに足る数だけ複数個取り付けられており、巻き取り棒支持柱５は備えていても備えていなくてもよい。
【００３４】
上記の巻き取り棒支持柱５あるいは巻き取り棒支持具６は、ビニールハウス１の側窓を全閉したときに巻き取り棒３を一定の高さに支持するための手段の例であるが、巻き取り棒支持手段はこれらに限定されるものではなく、ハウスの骨組みから懸垂させた輪状のベルトあるいはフックに巻き取り棒を掛けるというような手段でも代替できる。
【実施例３】
【００３５】
図６および図７は本発明のビニールハウスの換気装置のさらに別の実施例の斜視図である。図６は側窓全閉時、図７は側窓半開時を示す。本実施例において側窓は、図７において、ビニールハウス１の側面の上部に位置する開閉シート固定用蟻溝フレーム７とビニールハウス１の側面の下部に位置する裾部フィルム固定用蟻溝フレーム１４で挟まれた部分である。開閉シート２の一端部はビニールハウス１の骨組みに固定された蟻溝フレーム７に弾性系止線条（図示せず）により固定され、開閉シート２の他端部は巻き取り棒３にビニールハウス用パッカー（図示せず）により固定されている。
【００３６】
図６および図７に示すように、本実施例は、巻き取り棒３および錘４の両端部の各々に、巻き取り棒支持手段として固定具１１を備えている。固定具１１は略直方体の板状で上側と下側に円柱状の穴が設けられており、上側の穴には巻き取り棒３が、下側の穴には錘４がそれぞれ回転可能に貫通している。
【００３７】
固定具１１の長手方向の長さは通常４０ｃｍ程度が適切であるが、より積雪量の多い地域向けには必要に応じてより長くする。固定具１１の厚さは材質の強度に合わせ調節するが、１ｃｍ〜１０ｃｍ程度が好適である。固定具１１の材質は、鉄、アルミニウムなどの金属、木材、フェノール樹脂などの合成樹脂などを用いることができるが、これらに限定されるものではない。
【００３８】
開閉シート２の上端から下端までの長さは、蟻溝フレーム７の高さと、上記固定具１１で固定される巻き取り棒３と錘４の間隔の長さとの合計の長さと同じ、あるいはその合計よりやや長くするのが望ましい。図６、図７および図８に示すように、開閉シート２は錘４を周回してビニールハウス１の内側に折り返されて巻き取り棒３に至る。
【００３９】
図６および図７に示すように、ビニールハウス１の側面の中間部に巻き取り棒支持ベルト１２を備えている。巻き取り棒支持ベルト１２の上端部はビニールハウス１の骨組み１０に固定され、巻き取り棒支持ベルト１２の下端部は巻き取り棒３に固定されている。巻き取り棒支持ベルト１２の上端固定部と下端固定部の間の長さは、図６に示す側窓の全閉時におけるビニールハウス１の骨組み１０と巻き取り棒３の距離に等しいことが望ましい。図８は巻き取り棒支持ベルト１２を設置した位置でのハウスの部分端面図である。図８において、巻き取り棒３を時計回りに回転させると巻き取り棒支持ベルト１２は開閉シート２とともに巻き取り棒３に巻き取られ、巻き取り棒３を反時計回りに回転させると、巻き取り棒支持ベルト１２及び開閉シート２は巻き戻される。巻き取り棒支持ベルト１２は巻き取り棒３の長手方向中間部を支え、巻き取り棒３が自重により撓むことを防ぐ。側辺の長さが長いビニールハウスの場合は、必要に応じて巻き取り棒支持ベルト１２の設置箇所数を増す。
【００４０】
図６および図７に示すように、本実施例においても、巻き取り棒３を容易に回転させるために、巻き取りハンドル８および巻き取りハンドルガイド柱９を備えているが、巻き取り棒３を容易に回転させるための装置はこれに限定されるものではなく、回転駆動装置を連結するタイプなど種々の公知技術が適用できる。
【００４１】
図６に示す側窓の全閉時において、巻き取り棒３は、固定具１１の上側の穴の高さに位置する。そのため、多少の積雪量では巻き取り部３が雪に埋もれることがない。図８に示すように、巻き取り棒３に巻き取られた開閉シート２の巻き取り部分は、常にビニールハウス１の内側にあるので、換気が必要になる日中に凍結していることはなく、水や雪氷、ゴミの付着や巻き込みも無い。
【００４２】
図６において、巻き取りハンドル８を回して巻き取り棒３を回転させることにより開閉シート２及び巻き取り棒支持ベルト１２が巻き取り棒３に巻き取られ、図７に示すように、巻き取り棒３，固定具１１および錘４が一体となって上昇し、ビニールハウス１の側窓が開放される。実施例１のビニールハウスの換気装置では、ビニールハウス１の側窓を支持柱５の高さ以上に開放する場合、錘４を除去しなければならないが、実施例３のビニールハウスの換気装置では、巻き取り棒３を回転するだけで全閉から全開まで自由に開度を設定できる。
【実施例４】
【００４３】
図９は本発明のビニールハウスの換気装置のさらに別の実施例において、ビニールハウスの側窓を全閉したときの斜視図である。本実施例は実施例１とほぼ同じであり、実施例１と異なる点は、巻き取り棒支持柱５が長く、巻き取り棒支持部５−１の高さが開閉シート固定用蟻溝フレーム７の約２０ｃｍ下方に位置することのみである。本実施例では、全閉時に側窓が、蟻溝フレーム７から錘４に至る開放シート２の部分と、錘４の下面で折り返されて巻き取り棒３に至る開放シート２の部分とで二重に被覆されることになる。そのため、実施例１の効果に加えて、全閉時の保温性に優れているという効果も有する。
【実施例５】
【００４４】
図１０は本発明のビニールハウスの換気装置のさらに別の実施例において、ビニールハウスの側窓を全閉したときの斜視図である。本実施例は実施例４とほぼ同じであるが、開閉シート２は防虫ネット２−１と透明フィルム２−２とが連結されたものからなる点が異なっている。防虫ネット２−１の端部が蟻溝フレーム７に固定されており、透明フィルム部分２−２の端部が巻き取り棒３に固定されている。防虫ネット２−１の長さと透明フィルム２−２の長さは、ともに蟻溝フレーム７と地面との距離に相当する長さである。すなわち防虫ネット２−１と透明フィルム２−２はともに側窓を被覆するに足る長さを有している。図１０に示すように、側窓の全閉時は、蟻溝フレーム７から地表付近に位置する錘４までは防虫ネット２−１が展開し、錘４の下面で内側に折り返したところから巻き取り棒３までは透明フィルム２−２が展開している。従って、ビニールハウス１の側窓は透明フィルム２−２により閉鎖されており、ビニールハウス１は保温されている。この時、防虫ネット２−１は特段の効果を発揮しない。晩秋から早春に至る低温期は上記のように使用する。
【００４５】
図１１は実施例５において、ビニールハウス１の側窓を防虫ネット２−１で被覆した時の斜視図を示す。図１１に示すように、巻き取り棒支持柱５と錘４を除き、透明フィルム２−２を巻き取った巻き取り棒３を地上部付近に位置することにより、防虫ネット２−１のみが側窓を被覆した状態にすることができる。害虫が多く発生する高温期には、防虫ネット２−１のみで側窓を被覆することによって、ビニールハウス１内に外気が防虫ネット２−１の網目を通過して入ってくることによりビニールハウス内の温度を外気温程度に低下させることができると同時に、防虫ネット２−１によって害虫のビニールハウス１内への侵入を防ぐことができる。このように、透明フィルム２−２で側窓を閉鎖した状態と防虫ネットで側窓を被覆した状態を簡単に切り替えることができる。
【００４６】
防虫ネット２−１の材質はポリエチレンなどの合成樹脂が適している。防虫ネット２−１の目合いは０．２ｍｍ〜４ｍｍが適しており、ビニールハウス１内で栽培する作物の種類や、発生する害虫の種類によって適切な目合いの防虫ネットを選択する。透明フィルム２−２の材質は、農業用ビニールハウスの被覆に一般的に用いられる塩化ビニール系樹脂シートやポリオレフィン系樹脂シートが適しているが、ビニールハウス１の屋根や妻面など開口部以外の被覆に使用しているシートと同じ材質のものでもよい。防虫ネット２−１と透明フィルム２−２を連結する方法としては、のり付け、ボンド付け、熱溶融圧着、縫い付け、ホチキス止めなどが採用できる。
【符号の説明】
【００４７】
１    ビニールハウス
２    開閉シート
２−１  防虫ネット
２−２  透明フィルム
３    巻き取り棒
４    錘
５    巻き取り棒支持柱
５−１巻き取り棒支持部
６    巻き取り棒支持具
６−１  支持具ローラー
６−２  挟持部
６−３  支持具固定用ネジ
７    開閉シート固定用蟻溝フレーム
８    巻き取りハンドル
９    巻き取りハンドルガイド柱
１０    ビニールハウスの骨組み
１１    固定具
１２    巻き取り棒支持ベルト
１３    裾部フィルム
１４  裾部フィルム固定用蟻溝フレーム
１５ａ  側面端部被覆フィルム
１５ｂ  側面端部被覆フィルム
【図１】
2018068148.tif 000003
【図２】
2018068148.tif 000004
【図３】
2018068148.tif 000005
【図４】
2018068148.tif 000006
【図５】
2018068148.tif 000007
【図６】
2018068148.tif 000008
【図７】
2018068148.tif 000009
【図８】
2018068148.tif 000010
【図９】
2018068148.tif 000011
【図１０】
2018068148.tif 000012
【図１１】
2018068148.tif 000013
【図１２】
2018068148.tif 000014
【図１３】
2018068148.tif 000015
【図１４】
2018068148.tif 000016